(57)【要約】【課題】刷制御装置で指定された印刷条件と、印刷装置側の消耗品のステータスとが合っていない場合に、印刷制御装置と印刷装置との間の無駄な通信の接続を行わずに済む印刷制御装置、印刷制御方法及びプログラムを提供する。【解決手段】携帯機器に備えられた印刷制御装置は、プリンターとの間でＮＦＣ部間の近距離無線通信を行い（Ｓ１３で肯定判定）、プリンターにセットされた又は取り付けられた消耗品のステータス情報（消耗品ステータス情報）を取得する（Ｓ１４）。ステータス情報から印刷条件での印刷に必要な消耗品があるか否かを判断する（Ｓ１５）。必要な消耗品があればプリンターと第２無線通信の接続を確立し、印刷用データを第２無線通信で送信する。一方、必要な消耗品がなければ、他の消耗品の選択（Ｓ１８で肯定判定）、消耗品補充（Ｓ２２で肯定判定）のうちいずれか１つが選択された後に、プリンターと第２無線通信の接続を確立する。【選択図】図８
2016091083.tif 000002
【特許請求の範囲】
【請求項１】
無線通信により印刷装置を制御する印刷制御装置であって、
指定された印刷条件を設定する設定部と、
印刷装置と近距離無線通信の接続が確立した場合に、印刷装置の消耗品に関するステータス情報を当該印刷装置から受信する第１無線通信部と、
印刷装置と前記近距離無線通信よりも通信範囲の広い第２無線通信で通信する第２無線通信部と、
前記設定部により指定された印刷条件及び前記ステータス情報に基づく印刷を、第２無線通信を介して印刷装置に指示する印刷指示部と
を備えたことを特徴とする印刷制御装置。
【請求項２】
前記印刷条件から規定される消耗品の種類が前記ステータス情報から決まる消耗品の種類と異なるか、又は前記印刷条件から規定される消耗品が前記ステータス情報から空である場合に、エラーを出力する制御部を更に備えたことを特徴とする請求項１に記載の印刷制御装置。
【請求項３】
前記制御部は、前記エラーを、印刷装置と第２無線通信の接続を行う前に出力し、エラーの場合は印刷装置と第２無線通信の接続を行わないことを特徴とする請求項２に記載の印刷制御装置。
【請求項４】
前記印刷制御装置を備える携帯機器は、指示を与えるために操作される操作部と表示部とを更に備え、
前記制御部は、前記エラーの場合に、印刷装置に備えられた前記消耗品を用いた印刷への設定変更の指示を前記操作部の操作で与えることが可能な設定変更画面を前記表示部に表示させることを特徴とする請求項２又は３に記載の印刷制御装置。
【請求項５】
前記印刷制御装置を備える携帯機器は、表示部を更に備え、
前記制御部は、前記エラーの場合に、前記印刷条件のうちエラーとされた種類又は空の消耗品の補充を促す案内画面を前記表示部に表示させることを特徴とする請求項２乃至４のいずれか一項に記載の印刷制御装置。
【請求項６】
前記消耗品は、前記印刷装置に印刷対象としてセットされた媒体及び前記印刷装置に取り付けられた収容体中の記録材のうち少なくとも一方であり、
前記ステータス情報は、前記媒体及び記録材のうち少なくとも一方の種類又は状態を示す情報であることを特徴とする請求項１乃至５のいずれか一項に記載の印刷制御装置。
【請求項７】
前記消耗品は少なくとも前記媒体を含み、前記印刷指示部は、印刷装置にセットされた媒体の少なくともサイズを、前記印刷条件の一つとする設定変更を受け付けると、変更後の前記媒体のサイズに合った印刷サイズへの変倍を前記印刷装置に指示することを特徴とする請求項６に記載の印刷制御装置。
【請求項８】
印刷制御装置が無線通信により印刷装置を制御する印刷制御方法であって、
印刷制御装置を備える携帯機器は、近距離無線通信が可能な第１無線通信部と、前記近距離無線通信よりも通信範囲の広い第２無線通信部とを備え、
指定された印刷条件を設定する設定ステップと、
印刷装置と近距離無線通信による通信の接続が確立した場合に、印刷装置の消耗品に関するステータス情報を当該印刷装置から受信する第１無線通信ステップと、
前記近距離無線通信よりも通信範囲の広い第２無線通信で印刷装置と通信の接続を確立する第２無線通信ステップと、
前記印刷条件と前記ステータス情報とに基づく印刷を、第２無線通信を介して印刷装置に指示する印刷指示ステップと
を備えたことを特徴とする印刷制御方法。
【請求項９】
無線通信により印刷装置を制御する印刷制御を印刷制御装置内のコンピューターに実行させるためのプログラムであって、
前記印刷制御装置を備える携帯機器は、近距離無線通信が可能な第１無線通信部と、前記近距離無線通信よりも通信範囲の広い第２無線通信部とを備え、
コンピューターに、
指定された印刷条件を設定する設定ステップと、
印刷装置と近距離無線通信による通信の接続が確立した場合に、印刷装置の消耗品に関するステータス情報を当該印刷装置から受信する第１無線通信ステップと、
前記近距離無線通信よりも通信範囲の広い第２無線通信で印刷装置と通信の接続を確立する第２無線通信ステップと、
前記印刷条件と前記ステータス情報とに基づく印刷を、第２無線通信を介して印刷装置に指示する印刷指示ステップと
を実行させるためのプログラム。
【発明の詳細な説明】
【技術分野】
【０００１】
本発明は、ユーザーが携帯可能な携帯端末等の携帯機器に備えられ、プリンター等の印刷装置と通信して印刷装置を制御する印刷制御装置、印刷制御方法及びプログラムに関する。
【背景技術】
【０００２】
近年、スマートフォン等といった携帯機器とプリンター等の印刷装置との間で高速無線通信によるデータ送受信が行われている。特許文献１に示される情報処理システムは、携帯機器と複合機との間でＮＦＣ（Near Field Communication）と呼ばれる近距離無線通信（第１無線通信の一例）を行って接続を確立した後に、ブルートゥース（Bluetooth（登録商標））規格の高速無線通信（第２無線通信の一例）に切り替えて印刷用データを送受信して印刷を行っている。近距離無線通信は、ユーザーが複合機の所定の接触位置に携帯機器を接触させ、複合機のＮＦＣ通信部に携帯機器のＮＦＣ通信部を近付けることにより行われる。携帯機器が複合機への印刷用データの送信に使用する高速無線通信の接続処理は、近距離無線通信で取得した通信設定情報を用いて行われる。
【先行技術文献】
【特許文献】
【０００３】
【特許文献１】特開２００９−１３５８６５号（段落００６０等）
【発明の概要】
【発明が解決しようとする課題】
【０００４】
ところで、複合機に印刷用データを送信する前に、ユーザーは携帯機器側で印刷条件を設定する。複合機に印刷用データを送信した後、複合機に印刷条件に合った用紙がセットされていなかったり、印刷に必要な色のインクが空になっていたりする場合がある。この場合、印刷装置による印刷ができない。また、第２無線通信の接続後にまず用紙の有無やインクエンド等の消耗品のステータス情報を取得する構成とすることは可能ではあるが、この場合も、携帯機器と複合機との間で第２無線通信の接続処理は必要になる。
【０００５】
また、例えば必要な用紙が空でその予備もなく用紙の補充ができない場合や、空になったインク色のインクカートリッジの予備がない場合、印刷は中止される。しかし、このように印刷が中止される場合でも、携帯機器と複合機との第２無線通信の接続処理は既に行われている。また、用紙やインクカートリッジの補充が可能な場合でも、補充し終わって印刷できる時までにかなりの待ち時間が発生する場合もある。この場合、携帯機器と複合機との第２無線通信での接続がかなりの時間に亘り保持されたままとなる。しかし、複合機に無線通信で接続できる端末の数には限りがあるため、その間、他の端末からの印刷ができない状況も発生しうる。このように、複合機等の印刷装置に用紙やインク等の必要な消耗品が備えられていなかった場合に、適切に処理することができなかった。
【０００６】
本発明の目的は、印刷制御装置で指定された印刷条件と、印刷装置側の消耗品のステータスとが合っていない場合に、印刷制御装置と印刷装置との間の無駄な第２無線通信を行わずに済む印刷制御装置、印刷制御方法及びプログラムを提供することにある。
【課題を解決するための手段】
【０００７】
以下、上記課題を解決するための手段及びその作用効果について記載する。
上記課題を解決する印刷制御装置は、無線通信により印刷装置を制御する印刷制御装置であって、指定された印刷条件を設定する設定部と、印刷装置と近距離無線通信の接続が確立した場合に、印刷装置の消耗品に関するステータス情報を当該印刷装置から受信する第１無線通信部と、印刷装置と前記近距離無線通信よりも通信範囲の広い第２無線通信で通信する第２無線通信部と、設定部により指定された印刷条件及び前記ステータス情報に基づく印刷を、第２無線通信を介して印刷装置に指示する印刷指示部とを備えている。
【０００８】
この構成によれば、印刷装置との間で第１無線通信部による近距離無線通信の接続が確立されると、印刷制御装置は印刷装置から消耗品に関するステータス情報を近距離無線通信で受信する。印刷指示部は、設定部により指定された印刷条件及びステータス情報に基づく印刷を、印刷装置に対して第２無線通信部による第２無線通信で指示する。よって、必要な消耗品が印刷装置に備えられていない場合は、印刷装置に第２無線通信で印刷を指示する前に、指定された印刷条件と消耗品のステータス情報とが合っていないことが把握される。このため、印刷制御装置で指定された印刷条件と、印刷装置側の消耗品のステータスとが合っていない場合に、印刷制御装置と印刷装置との間で無駄な第２無線通信を行わずに済む。
【０００９】
上記印刷制御装置では、前記印刷条件から規定される消耗品の種類が前記ステータス情報から決まる消耗品の種類と異なるか、又は前記印刷条件から規定される消耗品が前記ステータス情報から空である場合に、エラーを出力する制御部を更に備えることが好ましい。
【００１０】
この構成によれば、印刷条件から規定される消耗品の種類がステータス情報から決まる消耗品の種類と異なるか、又は印刷条件から規定される消耗品がステータス情報から空である場合に、制御部によりエラーが出力される。よって、ユーザーは、出力されたエラーにより、消耗品の種類が異なること、又は消耗品が空であることを知ることができる。
【００１１】
なお、上記印刷制御装置において、前記消耗品は媒体であり、媒体に関するステータス情報である媒体情報に基づき把握される印刷装置にセットされた第１媒体が、前記設定部により指定された第２媒体と異なる場合に、エラーを出力する制御部を更に備えていることが好ましい。この構成によれば、媒体情報に基づき把握される印刷装置にセットされた第１媒体が、設定部により指定された第２媒体と異なる場合に、制御部によりエラーが出力される。よって、ユーザーは、出力されたエラーにより、印刷装置にセットされた第１媒体が、指定した第２媒体と異なることを知ることができる。
【００１２】
上記印刷制御装置では、前記制御部は、前記エラーを、印刷装置と第２無線通信の接続を行う前に出力し、エラーの場合は印刷装置と第２無線通信の接続を行わないことが好ましい。
【００１３】
この構成によれば、エラーが、印刷装置と第２無線通信の接続を行う前に出力され、エラーの場合は印刷装置と第２無線通信の接続が行われない。よって、少なくともしばらくの間は印刷が行われないにも拘らず、第２無線通信部の接続が無駄に行われなくて済む。
【００１４】
上記印刷制御装置では、前記印刷制御装置を備える携帯機器は、指示を与えるために操作される操作部と表示部とを更に備え、前記制御部は、前記エラーの場合に、印刷装置に備えられたエラーの対象とされた前記消耗品を用いた印刷への設定変更の指示を前記操作部の操作で与えることが可能な設定変更画面を前記表示部に表示させることが好ましい。
【００１５】
この構成によれば、エラーの場合に、表示部に設定変更画面が表示される。ユーザーは、操作部を操作して、印刷装置に備えられた消耗品を用いた印刷への設定変更の指示を印刷制御装置に与えることができる。このため、印刷制御装置は、印刷装置に備えられた消耗品を用いた印刷を、印刷装置に行わせることができる。
【００１６】
なお、上記印刷制御装置において、前記制御部は、前記エラーの場合に、印刷装置にセットされた第１媒体に印刷する設定変更の指示を前記操作部の操作で与えることが可能な設定変更画面を前記表示部に表示させることが好ましい。この構成によれば、エラーの場合に、表示部に設定変更画面が表示される。ユーザーは、操作部を操作して、印刷装置にセットされた第１媒体に印刷する設定変更の指示を印刷制御装置に与えることができる。このため、印刷制御装置は、印刷装置にセットされた第１媒体に印刷させる制御を行うことができる。
【００１７】
上記印刷制御装置では、前記印刷制御装置を備える携帯機器は、表示部を更に備え、
前記制御部は、前記エラーの場合に、前記印刷条件のうちエラーとされた種類又は空の消耗品の補充を促す案内画面を前記表示部に表示させることが好ましい。
【００１８】
この構成によれば、エラーの場合に、印刷条件のうちエラーとされた種類又は空の消耗品の補充を促す案内画面が表示部に表示される。よって、ユーザーは、印刷装置にエラーとされた種類又は空の消耗品を補充することで、印刷装置に指定の消耗品を用いた印刷を行わせることができる。
【００１９】
なお、上記印刷制御装置では、前記制御部は、前記エラーの場合に、印刷条件のうちエラーとされた第２媒体のセットを促す案内画面を前記表示部に表示させることが好ましい。この構成によれば、エラーの場合に、印刷条件のうちエラーとされた第２媒体のセットを促す案内画面が表示部に表示される。よって、ユーザーは、印刷装置に第２媒体をセットすることで、印刷装置に第２媒体への印刷を行わせることができる。
【００２０】
上記印刷制御装置では、前記消耗品は、前記印刷装置に印刷対象としてセットされた媒体及び前記印刷装置に取り付けられた収容体中の記録材のうち少なくとも一方であり、前記ステータス情報は、前記媒体及び記録材のうち少なくとも一方の種類又は状態を示す情報であることが好ましい。
【００２１】
この構成によれば、印刷装置にセットされた媒体及び印刷装置に取り付けられた収容体中の記録材のうち少なくとも一方の種類又は状態を示す情報であるステータス情報を、近距離無線通信で、印刷装置から印刷制御装置が受信する。そして、設定部により指定された印刷条件と、媒体及び収容体中の記録材のうち少なくとも一方のステータス情報とが合っていない場合でも、ユーザーの要望に応じた適切な印刷を行わせることができる。
【００２２】
上記印刷制御装置では、前記消耗品は少なくとも前記媒体を含み、前記印刷指示部は、印刷装置にセットされた媒体の少なくともサイズを、前記印刷条件の一つとする設定変更を受け付けると、変更後の前記媒体のサイズに合った印刷サイズへの変倍を前記印刷装置に指示することが好ましい。
【００２３】
この構成によれば、印刷装置にセットされた媒体の少なくともサイズを、印刷条件の一つとする設定変更がなされると、変更後の媒体のサイズに合った印刷サイズへの変倍が、印刷指示部によって印刷装置に指示される。よって、印刷装置にセットされた媒体のうち印刷条件の一つとして設定変更した媒体に、その媒体サイズに合った印刷サイズで印刷を行わせることができる。
【００２４】
上記課題を解決する印刷制御方法は、印刷制御装置が無線通信により印刷装置を制御する印刷制御方法であって、印刷制御装置を備える携帯機器は、近距離無線通信が可能な第１無線通信部と、前記近距離無線通信よりも通信範囲の広い第２無線通信部とを備え、指定された印刷条件を設定する設定ステップと、印刷装置と近距離無線通信による通信の接続が確立した場合に、印刷装置の消耗品に関するステータス情報を当該印刷装置から受信する第１無線通信ステップと、前記近距離無線通信よりも通信範囲の広い第２無線通信で印刷装置と通信の接続を確立する第２無線通信ステップと、前記印刷条件と前記ステータス情報とに基づく印刷を、第２無線通信を介して印刷装置に指示する印刷指示ステップとを備えている。この方法によれば、上記印刷制御装置と同様の作用効果を得ることができる。
【００２５】
上記課題を解決するプログラムは、無線通信により印刷装置を制御する印刷制御を印刷制御装置内のコンピューターに実行させるためのプログラムであって、前記印刷制御装置を備える携帯機器は、近距離無線通信が可能な第１無線通信部と、前記近距離無線通信よりも通信範囲の広い第２無線通信部とを備え、コンピューターに、指定された印刷条件を設定する設定ステップと、印刷装置と近距離無線通信による通信の接続が確立した場合に、印刷装置の消耗品に関するステータス情報を当該印刷装置から受信する第１無線通信ステップと、前記近距離無線通信よりも通信範囲の広い第２無線通信で印刷装置と通信の接続を確立する第２無線通信ステップと、前記印刷条件と前記ステータス情報とに基づく印刷を、第２無線通信を介して印刷装置に指示する印刷指示ステップとを実行させる。このプログラムによれば、上記印刷制御装置と同様の作用効果を得ることができる。
【図面の簡単な説明】
【００２６】
【図１】一実施形態における画像形成システムを示す模式図。
【図２】印刷部の構成を示す要部斜視図。
【図３】画像形成システムの電気的構成を示すブロック図。
【図４】印刷実行操作時に携帯機器に表示される画面の一例を示す模式図。
【図５】（ａ）は指定の用紙がセットされていなかった際に携帯機器に表示される画面の一例を示す模式図、（ｂ）は指定の用紙の補充を選択した際に携帯機器に表示される画面の要部を示す模式図。
【図６】（ａ）は黒インクがエンドの際に携帯機器に表示される画面の一例を示す模式図、（ｂ）はカラーインクがエンドの際に携帯機器に表示される画面の要部を示す模式図。
【図７】インクカートリッジの交換（インク補充）を選択した際に携帯機器に表示される画面の要部を示す模式図。
【図８】印刷制御ルーチンを示すフローチャート。
【図９】プリンター側に必要な消耗品がある場合の印刷制御を示すシーケンス図。
【図１０】プリンター側に必要な消耗品がなく他の消耗品を選択した場合の印刷制御を示すシーケンス図。
【図１１】プリンター側に必要な消耗品がなく消耗品の補充を選択した場合の印刷制御を示すシーケンス図。
【図１２】プリンター側に必要な消耗品がなく印刷中止を選択した場合の印刷制御を示すシーケンス図。
【図１３】変形例における画像形成システムを示す模式図。
【発明を実施するための形態】
【００２７】
以下、印刷制御装置が携帯端末に備えられた構成である一実施形態を、図面を参照して説明する。
図１に示すように、携帯機器１１に備えられた印刷制御装置２０は、印刷装置の一例としてのプリンター３０と共に、印刷制御システムの一例としての画像形成システム１０を構成する。すなわち、画像形成システム１０は、携帯機器１１に備えられた印刷制御装置２０と、印刷制御装置２０が携帯機器１１の通信機能を使って送信した印刷用データを受信して用紙等の媒体に印刷を施すプリンター３０とを備えている。携帯機器１１としては、スマートフォン、携帯電話、タブレットＰＣ、携帯情報端末（ＰＤＡ（Personal Digital Assistants））等の携帯端末などを挙げることができる。なお、携帯型であれば、タブレット型パーソナルコンピューター、ノート型パーソナルコンピューター等を用いてもよい。さらに、携帯機器１１は、プリンター３０との間でデータの送受信が可能な携帯型音楽再生装置や携帯型動画再生装置などであってもよい。
【００２８】
携帯機器１１は不図示のアクセスポイントを介して無線ＬＡＮに接続される。ユーザーは、不図示のサーバーから有料又は無料でプログラムＰＲを含むコンテンツを、インターネット等のネットワークを通じて予めダウンロードする。そのため、携帯機器１１のメモリー２５（図３参照）にはプログラムＰＲが予め記憶されている。そして、携帯機器１１内でこのプログラムＰＲを実行するコンピューター２３（図３参照）により印刷制御装置２０が構成される。
【００２９】
図１に示すように、携帯機器１１は操作部１２及び表示部１３を備えている。表示部１３はその画面をタッチ操作すれば各種の指示や入力が可能なタッチパネル機能を有する。そのため、操作部１２は、携帯機器１１の筐体１１Ａの前面に操作可能に設けられた操作スイッチ１２Ａと表示部１３のタッチパネル機能とにより構成される。表示部１３には、印刷対象の画像を印刷前に確認するプレビュー画像や各種のメッセージが表示される。印刷の指示は、ユーザーが操作部１２の操作（例えばタッチパネル操作）により行われる。
【００３０】
また、本実施形態の携帯機器１１は、筐体１１Ａの表面に第１無線通信部の一例としてのＮＦＣ（Near Field Communication）通信部１５（以下、単に「ＮＦＣ部１５」という。）が設けられている。また、本例のプリンター３０には、ＮＦＣ通信部３５（以下、単に「ＮＦＣ部３５」という。）が設けられている。本例では、ＮＦＣ部１５，３５は共にＮＦＣタグからなる。ＮＦＣ部３５は、例えばプリンター３０における携帯機器１１を接触させる操作がし易い位置に設けられている。携帯機器１１のＮＦＣ部１５をプリンター３０のＮＦＣ部３５にタッチさせるなど近距離無線通信の通信範囲内に接近させると、ＮＦＣ部１５，３５間の通信の接続が確立される。そして、ＮＦＣ部３５に記憶されたプリンター３０側の消耗品に係るステータス情報がＮＦＣ部１５，３５間の近距離無線通信でプリンター３０から携帯機器１１内の印刷制御装置２０に送信される。
【００３１】
プリンター３０は、例えば複合機であり、印刷、コピー、スキャン及びファクシミリ（以下、「ＦＡＸ」という。）の各機能を備えている。プリンター３０は、媒体の一例としての用紙Ｐに印刷を施す印刷部３１及び原稿の画像を読み取るスキャン部３２を備えている。また、プリンター３０その筐体３０Ａの前部には操作パネル３３が設けられている。操作パネル３３には、複数の操作スイッチからなる操作部３３Ａ及び表示部３３Ｂが設けられている。また、プリンター３０にはその筐体３０Ａの表面の一箇所にＮＦＣ部３５が設けられている。本例では、ＮＦＣ部３５が操作パネル３３の表面に設けられている。また、プリンター３０の筐体３０Ａの下部には、用紙Ｐを複数枚収容可能なカセット３４が、筐体３０Ａに対して着脱可能な状態で装着されている。なお、印刷部３１による印刷方式は、用紙Ｐへの印刷が可能であればよく、例えばインクジェット方式、ドットインパクト方式、電子写真方式及び感熱方式などを挙げることができる。
【００３２】
携帯機器１１は、プリンター３０とピアツーピア（Ｐ２Ｐ）接続（直接接続）して無線通信が可能な第２無線通信部１６を備えている。また、プリンター３０は、携帯機器１１（印刷制御装置２０）とＰ２Ｐ接続して無線通信が可能な第２無線通信部３６を備えている。第２無線通信部３６はアクセスポイント機能を有するので、携帯機器１１の印刷制御装置２０は、第２無線通信部３６に直接通信を確立することができる。
【００３３】
例えばユーザーが携帯機器１１のＮＦＣ部１５をプリンター３０のＮＦＣ部３５にタッチさせる操作をすると、携帯機器１１内の印刷制御装置２０がプリンター３０から設定情報を近距離無線通信で取得する。次に印刷制御装置２０は、設定情報中の通信接続情報を用いて、第２無線通信部１６からプリンター３０側の第２無線通信部３６に対して通信を接続する接続処理をし、第２無線通信部１６，３６間の通信の接続が確立されると、この第２無線通信を介して印刷用データをプリンター３０へ送信する。
【００３４】
プリンター３０は、携帯機器１１の印刷制御装置２０から印刷用データを受信すると、カセット３４内に収容された用紙等の用紙Ｐを筐体３０Ａ内の搬送経路へ搬送し、その搬送の途中で用紙Ｐに印刷用データに基づく印刷を施し、印刷された用紙Ｐを排紙口３０Ｂから排出部３９（スタッカー）上に排出する。
【００３５】
図２に示すように、印刷部３１内には、用紙Ｐに印刷を行う印刷ヘッド３１Ａを備えたキャリッジ３１Ｂが、用紙Ｐの搬送方向Ｙと交差する走査方向Ｘにガイド部材３１Ｃに沿って移動可能に設けられている。キャリッジ３１Ｂには、収容体の一例としてのインクカートリッジＩＣが複数装着されている。図２の例では、黒、シアン、マゼンタ、イエローの４色を含む複数色の記録材の一例としてのインクをそれぞれ収容する複数（本例では４個）のインクカートリッジＩＣ１〜ＩＣ４が設けられている。また、インクカートリッジＩＣは、黒とカラーの２個でもよい。なお、インクカートリッジＩＣの装着構造は、キャリッジ３１Ｂに装着された所謂オンキャリッジタイプに限定されず、筐体３０Ａ側に配置される所謂オフキャリッジタイプでもよい。
【００３６】
以下、印刷制御装置２０、印刷制御方法及び印刷制御用のプログラムＰＲの詳細を説明する。図３は、印刷制御装置２０を備える携帯機器１１とプリンター３０とを含む画像形成システム１０の構成例を模式的に示している。
【００３７】
図３に示す携帯機器１１は、ＮＦＣ部（第１無線通信部）１５、第２無線通信部１６、コントローラー２１、操作部１２、表示部１３、音声出力部１８、音声入力部１９、カメラ２２等を備えている。
【００３８】
ＮＦＣ部１５は、プリンター３０とＮＦＣ方式の近距離無線通信を行うＮＦＣリーダーであり、ＩＣ、ループアンテナ及び通信回路を備えている。携帯機器１１の筐体１１Ａの表面には、携帯機器１１をプリンター３０に接触（タッチ）させるための接触部１５Ａが設けられている。ＮＦＣ部１５は接触部１５Ａと電気的に接続されている。ＮＦＣ部１５は、プリンター３０側のＮＦＣ部３５に接近すると該ＮＦＣ部３５から設定情報ＳＤをＮＦＣ方式による近距離無線通信で受信する。ＮＦＣ部１５が受信した設定情報ＳＤは、メモリー２５の所定記憶領域に設定情報ＩＤとして書き込まれる。なお、ＮＦＣリーダーは、ＩＣにデータを書き込む機能を有するＮＦＣリーダー／ライターでもよい。
【００３９】
第２無線通信部１６は、プリンター３０と近距離無線通信とは異なる通信方式の第２無線通信を行う通信インターフェイスである。第２無線通信としてWi-Fi（Wireless Fidelity）Direct方式の無線通信を行う場合、第２無線通信部１６には無線ＬＡＮインターフェイスを用いることができる。プリンター３０は、携帯機器１１側の第２無線通信部１６が直接接続することが可能なアクセスポイント機能（アドホック通信機能）を有する第２無線通信部３６を備える。すなわち、第２無線通信部３６は、第２無線通信部１６がピアツーピアでの直接接続が可能なアクセスポイント機能を有するプリンターアクセスポイント３６Ａ（以下、「プリンターＡＰ」という。）を備えている。このため、第２無線通信部１６は、アクセスポイント等の中継局（中継装置）を介することなく、プリンター３０の第２無線通信部３６と直接接続することが可能である。
【００４０】
コントローラー２１は、コンピューター２３を備えている。コンピューター２３は、ＣＰＵ２４及びメモリー２５等を備えている。ＣＰＵ２４は、携帯機器１１における情報処理や制御を中心的に行う。メモリー２５は、例えばＲＯＭ、ＲＡＭ及びフラッシュメモリーといった不揮発性メモリーを含む。メモリー２５には、図８にフローチャートで示される印刷制御用のプログラムＰＲ及び不図示のアプリケーションプログラムを含む各種プログラム、ＮＦＣ部１５がＮＦＣ部３５から受信した設定情報ＩＤ、印刷対象の画像のデータ等が格納される。
【００４１】
携帯機器１１にプログラムＰＲがインストールされることにより、携帯機器１１内に印刷制御装置２０が構築される。アプリケーションプログラムは、携帯機器１１にインストールされることにより、携帯機器１１に各種の機能を付加する。アプリケーションプログラムには、例えば画像表示ソフト、画像作成ソフト、文書表示ソフト及び文書作成ソフトなどの画像や文書の印刷機能を有するアプリケーションが少なくとも１つ含まれる。
【００４２】
設定情報ＩＤには、プリンター３０にセット又は装着された消耗品のステータス情報ＳＴ、及び印刷制御装置２０が第２無線通信部１６を制御してプリンター３０の第２無線通信部３６に接続する際に必要な通信接続情報ＬＤが含まれる。通信接続情報ＬＤには、携帯機器１１の第２無線通信部１６が、プリンター３０の第２無線通信部３６内のプリンターＡＰ３６Ａに接続する際に必要な識別情報及びパスワードが含まれる。
【００４３】
また、消耗品には、プリンター３０にセットされた媒体の一例としての用紙Ｐ及びインクカートリッジＩＣ１〜ＩＣ４が含まれる。そして、消耗品が用紙Ｐである場合、ステータス情報ＳＴには、プリンター３０にセットされた用紙Ｐの種類として用紙サイズ及び用紙種のうち少なくとも一方の情報及び用紙Ｐの残量に関する情報が含まれる。また、消耗品がインクカートリッジＩＣ１〜ＩＣ４である場合、ステータス情報ＳＴには、プリンター３０に装着されたインクカートリッジＩＣ１〜ＩＣ４の種類としてインク色及びインクの残量に関する情報及びインクの残量に関する情報が含まれる。残量としては、用紙がセットされるべきカセット３４等に用紙Ｐがセットされていない空の情報と、インクカートリッジＩＣ毎の空の情報とが含まれる。
【００４４】
操作部１２は、操作スイッチ１２Ａ（図１参照）及び表示部１３の画面で構成されるタッチパネル等を含んでいる。表示部１３は、液晶表示パネル等からなる。ユーザーによる操作を操作部１２で受け付け、携帯機器１１の動作状態や各種設定画面等を表示部１３に表示する。なお、操作部１２を、タッチパネルを含まず、複数のキー等を用いて構成することも可能である。
【００４５】
音声出力部１８は、電話回線等からの音声信号に従って音声を発生させる。音声出力部１８には、例えば、汎用のスピーカーを用いることができる。音声入力部１９は、ユーザー等からの音声を音声信号に変換する。音声入力部１９には、例えば汎用のマイクロフォンを用いることができる。カメラ２２は、レンズを含む光学系、エリアイメージセンサー、画像処理回路等を備え、撮影した画像のデジタルデータを生成する。
【００４６】
印刷制御用のプログラムＰＲは、不図示のアプリケーションプログラムによる呼び出し処理により起動させることも可能である。例えば、アプリケーションプログラムを起動させている状態で表示部１３上の印刷させたい画像を選択操作し、さらに印刷の実行を指示する操作すると、印刷制御用のプログラムＰＲを起動させる呼び出し処理が行われる。その後、画面に携帯機器１１のＮＦＣ部１５をプリンター３０のＮＦＣ部３５へのタッチを促す旨が表示される。この状態で、プリンター３０から設定情報ＳＤを取得するために携帯機器１１をプリンター３０に接近又は接触させる。プリンター３０のＮＦＣ部３５は、ＩＣにデータを書き込む機能を有するＮＦＣリーダー／ライターにより構成され、コンピューター４３によるデータの書き替えが可能な記憶部３５Ｂを備えている。
【００４７】
図３に示すように、携帯機器１１のコンピューター２３は、プログラムＰＲを実行することで、コンピューター２３内に構築される部分として、設定部２６、判定部２７、主制御部２８及び印刷指示部の一例としての指示部２９などを有する。これらの各部２６〜２９は印刷制御装置２０に備えられる。
【００４８】
設定部２６は、ユーザーが操作部１２を操作するなどして指定された印刷条件を設定する。印刷条件の項目には、用紙サイズ、用紙種、印刷色（カラー／グレイスケール）、印刷モード（高解像度／低解像度）等がある。設定部２６には、印刷条件としてデフォルト値が設定されており、ユーザーは必要に応じて操作部１２の操作で印刷条件の各項目の設定内容を変更することで、希望する印刷条件を設定する。
【００４９】
判定部２７は、印刷装置の一例であるプリンター３０を制御するうえで前もって必要な各種の判定を行う。
主制御部２８は、第２無線通信部３６との間で無線通信を行うときに第２無線通信部１６に接続処理などの指示を与える。また、主制御部２８は、印刷開始前にユーザーが希望する印刷条件でプリンター３０に印刷させるうえで必要な各種のメッセージを表示部１３に表示させる表示処理を行う。
【００５０】
指示部２９は、ユーザーの指示で設定部２６に設定された印刷条件と、プリンター３０から取得した消耗品のステータス情報とに基づく印刷を、第２無線通信部１６，３６間の無線通信（本例ではWi-Fi Direct通信）を介してプリンター３０に指示する。詳しくは、指示部２９は、設定部２６に指定された印刷条件とステータス情報とを比較し、ステータス情報に基づくプリンター３０にセットされた用紙（第１媒体の一例）の種類と、設定部２６に指定された印刷条件から規定される用紙（第２媒体の一例）の種類とが一致するか否かを判断する。指示部２９は、プリンター３０にセットされた用紙（以下「第１用紙」ともいう。）の種類と、印刷条件から規定される用紙（以下「第２用紙」ともいう。）の種類とが一致すれば、媒体条件を満たすとし不図示の媒体フラグを「０」のままとする。一方、第１用紙と第２用紙との種類が不一致であれば、指示部２９は媒体フラグに「１」を立てるとともに表示部１３にエラーを表示させる。ここで、用紙の種類とは、用紙サイズと用紙種との少なくとも一方を指す。本実施形態における用紙の種類とは、少なくとも用紙サイズを含み、例えば用紙サイズと用紙種の両方を含む。
【００５１】
さらに指示部２９は、設定部２６に指定された印刷条件とステータス情報とを比較し、プリンター３０に取り付けられたインクカートリッジ中のインク（第１インクの一例）が空（インクエンド）であるか否かを判定する。印刷条件で既定される印刷色での印刷に使用するインク色（第２インクの一例）のうち全ての色でインクがあれば、インク条件を満たすものとして不図示のインクフラグを「０」のままとし、１色でも空（インクエンド）である場合に、インクフラグに「１」を立てるとともに表示部１３にエラーを表示させる。
【００５２】
また、指示部２９は、プリンター３０にセットされた用紙の少なくともサイズに、印刷条件の設定が変更されると、変更後の用紙サイズに合った印刷サイズへの変倍をプリンター３０に指示する。このため、エラーのため、ユーザーが画面Ｇ２（図５参照）で用紙サイズを変更した際には、指示部２９からプリンター３０への変倍の指示により、変更後の用紙サイズに合った印刷サイズでその変更後の用紙に印刷が施される。
【００５３】
一方、図３に示すプリンター３０は、印刷部３１、スキャン部３２、ＮＦＣ部３５（近距離無線通信部）、第２無線通信部３６、コントローラー４１、操作部３３Ａ、表示部３３Ｂ等を備える複合機である。印刷装置の一例であるプリンター３０は、複合機以外にも、スキャン部の無いプリンター等であってもよい。
【００５４】
ＮＦＣ部３５は、携帯機器１１とＮＦＣ方式の近距離無線通信を行うＮＦＣタグであり、情報を記憶したＩＣ（集積回路）、ループアンテナ及び通信回路を備えている。ＮＦＣ方式の近距離無線通信のデータ転送速度は、例えば100〜400kbps程度である。プリンター３０の筐体３０Ａの表面には、携帯機器１１を接触（タッチ）させるための接触部３５Ａが設けられている。ＮＦＣ部３５は、接触部３５Ａの裏側に配置されている。図３に示すＮＦＣ部３５の記憶部３５Ｂには、消耗品のステータス情報ＳＴを含む設定情報ＳＤが読み出し可能に書き込まれている。ユーザーが、携帯機器１１側のＮＦＣ部１５の接触部１５Ａを接触部３５Ａにタッチさせると、記憶部３５Ｂ中の設定情報ＳＤがＮＦＣ方式の近距離無線通信で携帯機器１１側のＮＦＣ部１５に送信される。
【００５５】
第２無線通信部３６は、携帯機器１１と近距離無線通信とは異なる第２無線通信を行う通信インターフェイスである。第２無線通信としてWi-Fi Direct方式の無線通信を行う場合、第２無線通信部３６には無線ＬＡＮインターフェイスを用いることができる。Wi-Fi Direct方式の無線通信は、ＮＦＣ方式の近距離無線通信よりも通信範囲が広く、且つ、ＮＦＣ方式の近距離無線通信よりも通信速度が速い。そこで、携帯機器１１からプリンター３０へWi-Fi Direct方式の無線通信により印刷用データ等の大量のデータを送受信することにしている。なお、Wi-Fi Direct方式の無線通信を使用すると、設定情報ＳＤの１つとして、プリンターＡＰ３６Ａに接続するために必要な通信接続情報ＬＤが含まれる。通信接続情報ＬＤは、例えばプリンターＡＰ３６Ａへの接続時に必要な識別情報であるＳＳＩＤ又はＢＳＳＩＤ及びパスワードが含まれる。
【００５６】
コントローラー４１は、コンピューター４３を備えている。コンピューター４３は、ＣＰＵ４４（Central Processing Unit）、ＡＳＩＣ４５、メモリー４６等を備える。ＣＰＵ４４は、プリンター３０における情報処理や制御を中心的に行う。メモリー４６は、例えば、ＲＯＭ（Read Only Memory）、ＲＡＭ（Random Access Memory）及びフラッシュメモリーといった不揮発性メモリーを含む。メモリー４６には、不図示の制御プログラムの他、設定情報ＳＤ等が格納される。
【００５７】
操作部３３Ａは、液晶表示パネル等の画面に触れて操作するタッチパネル、及び、複数のキー等を備え、ユーザーによる操作を受け付ける。操作部３３Ａとして液晶表示パネルに重ねられるタッチパネルを用いると、ユーザーによる表示画面への接触操作を受け付けることができる。また、表示部３３Ｂは、メニュー画面や、プリンター３０の動作状態や各種設定画面等を表示する。
【００５８】
印刷部３１は、用紙Ｐに画像を印刷する。例えば、プリンター３０が携帯機器１１から印刷用データＰＤを受信すると、印刷部３１は、印刷用データに従って用紙Ｐ上に印刷用データに基づく文書や画像等を形成する。印刷部３１には、インクジェット方式の印刷装置、電子写真方式の印刷装置等を用いることができる。
【００５９】
スキャン部３２は、例えば、光源からの光を原稿に当てて原稿の画像をセンサーで読み取る。スキャン部３２には、原稿台ガラスと原稿台カバーとの間に原稿を配置するフラットベット式のスキャナー、原稿送り装置付きのスキャナー等を用いることができる。
【００６０】
用紙検知部３７は、プリンター３０において用紙がセットされるカセット３４Ａ，３４Ｂ等の媒体セット部ごとに、セットされる用紙Ｐの種類としての用紙サイズ及び用紙種のうち少なくとも一方に関する媒体情報と、用紙Ｐの有無を検知する。例えば各カセット３４Ａ，３４Ｂに収容された用紙の用紙サイズ及び用紙種は、ユーザーが操作パネル３３の操作部３３Ａを操作することで設定可能となっている。あるいは、各カセット３４Ａ，３４Ｂに取り付けられた設定装置のダイヤルをユーザーが操作することで、ダイヤルの位置によって用紙サイズの登録が可能な構成でもよい。この設定内容により各カセット３４Ａ，３４Ｂにセットされた用紙のサイズと用紙種のうち少なくとも一方の媒体情報が管理される。但し、媒体情報には、少なくとも用紙サイズが含まれることが好ましい。
【００６１】
また、各カセット３４Ａ，３４Ｂには、収容される用紙の有無を少なくとも検知可能な用紙センサーが設けられている。用紙センサーは、スイッチ式等の接触式センサーでも、光学式センサー等の非接触式センサーでもよい。用紙センサーは所定位置からカセット３４Ａ，３４Ｂに収容された用紙の表面までの距離を計測してその計測結果からカセット３４Ａ，３４Ｂ毎の用紙の残量を検知したり、用紙の表面の色や光反射率を検出することで用紙種を検知したりするものでもよい。そして、用紙検知部３７は、上述の設定装置と用紙センサーとのうち少なくとも用紙センサーを備え、少なくとも用紙の有無を検知する。本例の用紙検知部３７は、カセット３４Ａ，３４Ｂ等の用紙セット部ごとに、用紙サイズ、用紙種、用紙の有無を検知する。なお、用紙セット部は不図示のホッパー式の用紙給送トレイや手差し式トレイでもよく、これらの給送トレイを備えたプリンター３０では、用紙検知部３７は、給送トレイ上の用紙のサイズ及び用紙Ｐの有無を検知する。
【００６２】
インク残量検知部３８は、インクカートリッジＩＣ１〜ＩＣ４毎にインク残量を検知する。本例のインク残量検知部３８は、インクカートリッジＩＣ１〜ＩＣ４毎のインク残量が無くなった際のインクエンドを少なくとも検知する。インク残量検知部３８は、インクカートリッジＩＣ内のインクを検知するセンサーで構成してもよいし、印刷ヘッド３１Ａから吐出されるインク滴の数やメンテナンスで消費されるインク消費量をカウンター等の計測器で計測し、その計測結果からインク残量及びインクエンドを検知する構成のものでもよい。
【００６３】
一方、プリンター３０のコンピューター４３は、プログラムを実行することで構築される機能部分として、判定部４７を備えている。判定部４７は、用紙検知部３７の検知結果を判定し、ステータス情報ＳＴのうちプリンター３０にセットされた用紙に係るステータス情報である媒体情報を取得する。本例では、用紙の種類と状態とのうち少なくとも一方を用紙に係るステータス情報とする。本例では、用紙の種類としては、用紙サイズと用紙種を判定し、用紙の状態として用紙の有無を判定する。また、判定部４７は、インク残量検知部３８の検知結果を判定し、ステータス情報ＳＴのうちインクに係るステータス情報であるインク情報を取得する。本例では、インクの種類と状態とのうち少なくとも一方をインクに係るステータス情報とする。具体的には、インクの種類としてインク色を判定し、インクの状態としてインクの有無を判定する。
【００６４】
コンピューター４３は、判定部４７が判定した現在のステータス情報ＳＴをメモリー４６に逐次書き込む。また、コンピューター４３は、例えばステータス情報ＳＴが更新される度に、メモリー４６のステータス情報ＳＴをＮＦＣ部３５の記憶部３５Ｂに書き込む。このため、ＮＦＣ部１５，３５間の近距離無線通信の接続が確立されたときには、通信接続情報ＬＤと共に最新のステータス情報ＳＴが、プリンター３０から携帯機器１１へ送信される。そして、ＮＦＣ部１５が受信したステータス情報ＳＴ及び通信接続情報ＬＤを含む設定情報ＳＤは、携帯機器１１のメモリー２５に設定情報ＩＤとして書き込まれる。
【００６５】
ＡＳＩＣ４５は、印刷用データを印刷部３１が印刷制御に使用可能な印刷データに変換する処理などを行う。コンピューター４３は、メモリー４６に記憶された不図示の制御プログラム（例えばファームウェア用プログラム）を実行することにより、操作系、印刷系等の各種制御を司る。特に本実施形態のメモリー４６の不揮発性領域には、設定情報ＳＤが記憶されている。設定情報ＳＤには、消耗品のステータス情報ＳＴ及びプリンターＡＰ３６Ａへの接続時に使用される通信接続情報ＬＤが含まれている。通信接続情報ＬＤには、プリンター３０側の第２無線通信部３６内のプリンターＡＰ３６Ａに接続する際に使用するＳＳＩＤ，ＢＳＳＩＤなどが含まれる。また、メモリー４６を構成するＲＡＭには、印刷用データ及びＣＰＵ４４の演算結果などが一時的に記憶される。
【００６６】
次に図５及び図６を参照して、ＮＦＣ部１５，３５をタッチさせたときに、印刷条件とステータス情報とが合っていなかった場合（以下、このことを「不一致」ともいう。）に、その旨をユーザーに通知するために携帯機器１１の表示部１３に表示される画面について説明する。まず、不一致の原因となる消耗品が用紙である場合の例について図５を参照して説明する。
【００６７】
図５（ａ）に示すように、画面Ｇ２には、現在セットされている用紙の一覧が表示され、その一覧中のそれぞれが、ユーザーが操作部１２により操作可能なボタンＢ１（図５（ａ）の例ではボタンＢ１１，Ｂ１２）として表示される。例えば図５（ａ）に示す例では、画面Ｇ２には「Ａ４判  普通紙」と「２Ｌ判  写真紙」がセットされている旨の一覧が表示されており、これらがボタンＢ１（Ｂ１１，Ｂ１２）として機能する。また、画面Ｇ２には、印刷実行ボタンＢ２、消耗品補充ボタンＢ３、印刷中止ボタンＢ４が設けられている。印刷実行ボタンＢ２は、指定の用紙を、現在セットされている一覧の中の用紙に変更して印刷する場合に、一覧の中の用紙を選択するボタンＢ１の選択後に、その用紙への印刷を実行させる指示を携帯機器１１の印刷制御装置２０に与えるために操作される。
【００６８】
また、消耗品補充ボタンＢ３は、消耗品を補充する旨を携帯機器１１の印刷制御装置２０に通知するために操作される。
さらに印刷中止ボタンＢ４は、例えばセットするべき指定の用紙がなくかつ指定以外の他の用紙サイズや用紙種への印刷をユーザーが希望しない場合に。印刷の中止の旨を携帯機器１１の印刷制御装置２０に指示するために操作される。
【００６９】
また、例えば図６（ａ），（ｂ）に示すように、印刷条件で指定されたインクが空（エンド）になっている例では、表示部１３に、指定の印刷色での印刷に使用されるインク（図６（ａ）の例では「黒インク」、図６（ｂ）の例では「シアンインク」）が空（エンド）である旨のメッセージＭ２が含まれる画面Ｇ２が表示される。この画面Ｇ２には、図６（ａ），（ｂ）に示すように、現在エンドになっているインク色の一覧が表示される。例えば図６（ａ）に示す画面Ｇ２の例では「黒インク」がエンドになっている旨が表示され、図６（ｂ）に示す画面Ｇ２の例ではカラー印刷に必要な複数色のうちの１色である「シアンインク」がエンドになっている旨が表示される。一覧表示されたインク色のインクカートリッジがエンドであるため、ユーザーはそのインク色のインクを使って印刷したければ、その一覧で示されたインクカートリッジの交換を行う。
【００７０】
また、図６（ａ）に示す画面Ｇ２の例では、使用可能なインクの一覧（図６（ａ）の例ではシアンインク、マゼンタインク、イエローインク）が表示される。また、使用不可能なインク色が「黒インク」である場合は、黒インクを使用せずに黒を使った印刷が可能である。印刷実行ボタンＢ２を選択すれば、黒インクを使用しないカラー印刷又はグレイスケール印刷の実行が可能である。この場合、シアン、マゼンタ及びイエローの各インクの混色により、黒色（コンポジットブラック）を発色させる。
【００７１】
また、インクカートリッジを交換する場合は、消耗品補充ボタンＢ３を選択する旨のメッセージＭ５が表示される。ユーザーは消耗品補充ボタンＢ３を操作したうえで、空（エンド）の消耗品（消耗液）であるインク（図６（ａ）の例では黒インク）を補充するためインクカートリッジを交換する。
【００７２】
また、図６（ｂ）に示すように、インクエンドになって使用不可能なインク色がカラー印刷に用いられるインク（図６（ｂ）の例では「シアンインク」）である場合、このままではカラー印刷ができないので、交換するべきインクカートリッジがない場合、グレイスケール印刷への変更は可能である。この種の変更のため、画面Ｇ２には、グレイスケール印刷を指示するためのグレイスケール印刷ボタンＢ５の選択を促す旨のメッセージＭ６が表示される。そして、画面Ｇ２には、メッセージＭ６の下側に、グレイスケール印刷ボタンＢ５が設けられている。グレイスケール印刷ボタンＢ５を操作部１２で選択することで、カラー印刷に替え、グレイスケール印刷を指示することが可能である。
【００７３】
また、インクカートリッジを交換する場合に、ユーザーにその旨を携帯機器１１の印刷制御装置２０に通知させるべく、消耗品補充ボタンＢ３を選択する旨のメッセージＭ５が表示される。ユーザーは消耗品補充ボタンＢ３を操作したうえで、空（エンド）の消耗品（消耗液）であるインク（図６（ｂ）の例ではシアンインク）を補充するため、そのエンドになったインク色のインクカートリッジを交換する。
【００７４】
このように画面Ｇ２における消耗品一覧には、使用可能な消耗品（用紙の例）又は空の消耗品（インクの例）の一覧が表示される。例えば使用可能な消耗品の一覧は、ユーザーにより操作可能なボタンになっており、ユーザーが、空の消耗品から現在ある消耗品へ変更して印刷の指示を行うときに、操作部１２の操作で、変更先の消耗品を選択するために用いられる。
【００７５】
次に、携帯機器１１に備えられた印刷制御装置２０の作用を説明する。
以下、図８〜図１２を参照して、コンピューター２３がプログラムＰＲを実行して行う印刷制御について説明する。
【００７６】
ユーザーは携帯機器１１を操作して、アプリケーションプログラムを起動し、表示部１３に表示された印刷対象の画像又は文書を印刷する操作を行うと、コンピューター２３はプログラムＰＲを起動させる。プログラムＰＲの起動によってコンピューター２３は、携帯機器１１の表示部１３に印刷条件設定画面（図示せず）を表示させる。ユーザーは携帯機器１１を操作して印刷条件を設定し、その設定後に印刷の実行を指示する。これらの一連の操作は、ユーザーが例えば表示部１３上の印刷設定画面（図示せず）の該当部分をタッチすることで操作部１２により行われる。印刷実行を指示すると、表示部１３には携帯機器１１とプリンター３０のＮＦＣ部１５，３５同士のタッチを促す旨のメッセージが表示される。ユーザーはメッセージに従って、携帯機器１１をプリンター３０に近づけ、両者のＮＦＣ部１５，３５を接近（タッチ）させる。このとき、両者のＮＦＣ部１５，３５が近距離無線通信可能な距離まで近づけられればよく、必ずしも接触させる必要はない。なお、ユーザーが携帯機器１１のＮＦＣ部１５をプリンター３０のＮＦＣ部３５に接近させた状態で、携帯機器１１を操作して印刷の実行を指示してもよい。
【００７７】
印刷制御装置２０のコンピューター２３は、操作部１２から印刷実行の指示を受け付けると、図８に示す印刷制御ルーチンを実行する。なお、印刷制御装置２０のコンピューター２３は、図８にフローチャートで示されるプログラムＰＲを実行し、プリンター３０と通信して印刷用データを送信することで、プリンター３０を制御する。図９〜図１２には、携帯機器１１がプリンター３０と通信を行って、プリンター３０を制御する際のシーケンス図が示される。
【００７８】
以下、図８を参照して印刷制御ルーチンについて、図９〜図１２に示された印刷制御における携帯機器１１とプリンター３０間の通信のやり取り等を参照しつつ説明する。
まずステップＳ１１では、印刷実行操作の有無を判断する。印刷実行操作があればステップＳ１２に進み、印刷条件設定から一定時間のタイムアウト時間内に印刷実行操作がなければ、当該ルーチンを終了する。なお、印刷実行操作があるまで待機するようにしてもよい。
【００７９】
ステップＳ１２では、携帯機器１１の表示部１３に、携帯機器１１とプリンター３０とのＮＦＣ部同士のタッチを促す旨（図４参照）を表示する（ステップＳ１２）。例えば図４に示す例では、指定の用紙をセットした後、携帯機器とプリンターとのＮＦＣ部同士のタッチを促す旨のメッセージＭ１を含む画面Ｇ１が表示される。この画面Ｇ１には、ユーザーが設定した印刷条件ＰＣも確認用に表示される。
【００８０】
ステップＳ１３では、ＮＦＣ部同士のタッチがあったか否かを判断する。ＮＦＣ部タッチがあればステップＳ１４に進み、ＮＦＣ部同士のタッチがなければ、ＮＦＣ部同士のタッチがあるまで待機する。なお、一定のタイムアウト時間が過ぎた場合は、当該ルーチンを終了することが望ましい。
【００８１】
ステップＳ１４では、通信接続情報及び消耗品ステータス情報を取得する。通信接続情報には、携帯機器の第２無線通信部がプリンター側の第２無線通信部との通信接続を確立するために必要なＳＳＩＤやＢＳＳＩＤが含まれ、またプリンターに印刷用データをＬＡＮ経由で送信する際にその宛先となるプリンターのＩＰアドレスが含まれる。また、消耗品ステータス情報は、プリンター３０において指定された印刷条件での印刷に必要な消耗品の有無に関するステータス情報である。コンピューター２３は、この消耗品ステータス情報によって、印刷に必要な消耗品の有無を把握する。
【００８２】
ステップＳ１５では、必要な消耗品がすべてあるか否かを判断する。すなわち、コンピューター２３は、消耗品ステータス情報ＳＴを参照して、設定された印刷条件での印刷に必要な消耗品がすべてあるか否かを判断する。必要な消耗品がすべてあればステップＳ１６に進み、必要な消耗品が１つでも無ければステップＳ１７に進む。例えば印刷条件で「Ａ４判  普通紙」が設定されているときに、ステータス情報ＳＴからプリンター３０に「Ａ４判  普通紙」の用紙Ｐがセットされていなければ、必要な消耗品がないと判断される。また、印刷条件で「カラー印刷」が設定されているときに、ステータス情報ＳＴからカラー印刷で使用される色のインクが空（エンド）であれば、必要な消耗品がないと判断される。
【００８３】
ステップＳ１６では、プリンターと第２無線通信接続を確立する。すなわち、携帯機器１１は第２無線通信部１６によりプリンター３０の第２無線通信部３６にアクセスし、所定の通信プロトコルに従って通信接続処理を行う。プリンター３０側の第２無線通信部３６は通信を確立した場合は、携帯機器１１の第２無線通信部１６に対して通信の確立が成功した旨を通知する。この通知を第２無線通信部１６で受け付けることによって、プリンターと第２無線通信接続が確立されると、ステップＳ１９に進む。
【００８４】
一方、ステップＳ１７では、表示部１３にエラー表示をする。例えば図５（ａ）に示すように、印刷条件で指定された用紙（図５（ａ）の例では「Ｂ５判  普通紙」）がプリンター３０にセットされていない例では、表示部１３に、指定の用紙、例えば「Ｂ５判  普通紙」がセットされていない旨のメッセージＭ２が含まれる画面Ｇ２が表示される。この画面Ｇ２には、図５（ａ）に示すように、現在セットされている用紙の一覧が表示される。例えば図５（ａ）に示す画面Ｇ２の例では「Ａ４判  普通紙」と「２Ｌ判  写真紙」がセットされている旨の一覧が表示される。本例では、その一覧中の項目が、ユーザーが表示部１３の画面へのタッチで操作入力が可能なボタンＢ１（図５（ａ）の例ではボタンＢ１１，Ｂ１２）となっている。
【００８５】
また、図５（ａ）に示す画面Ｇ２には、用紙を変更する場合に一覧の中から用紙の種類を選択した後、印刷実行ボタンＢ２の選択を促すメッセージＭ３が表示される。さらに、画面Ｇ２には、指定の用紙をセットし直して印刷する場合に、消耗品補充ボタンＢ３の選択を促すメッセージＭ４が表示される。
【００８６】
また、例えば図６（ａ），（ｂ）に示すように、印刷条件で指定されたインクが空（エンド）になっている例では、表示部１３に、指定の印刷色での印刷に使用されるインク（図６（ａ）の例では「黒インク」、図６（ｂ）の例では「シアンインク」）が空（エンド）である旨のメッセージＭ２が含まれる画面Ｇ２が表示される。この画面Ｇ２には、図６（ａ），（ｂ）に示すように、現在エンドになって不足している色のインクの一覧が表示される。例えば図６（ａ）に示す画面Ｇ２の例では「黒インク」がエンドになっている旨が表示され、図６（ｂ）に示す画面Ｇ２の例ではカラー印刷で必要な複数色のインクのうちの１色である「シアンインク」がエンドになっている旨が表示される。一覧表示されたインク色のインクカートリッジがエンドであるため、ユーザーはそのインク色のインクを使って印刷したければ、その一覧で示されたインクカートリッジの交換を行う。
【００８７】
また、図６（ａ）に示す例では、使用可能なインクの一覧（図６（ａ）の例ではシアンインク、マゼンタインク、イエローインク）が表示される。また、使用不可能なインク色が「黒インク」である場合は、カラー印刷用のインクを用いて印刷することが可能となっており、印刷実行ボタンＢ２を選択すれば、カラー印刷又はグレイスケール印刷の実行が可能である。この場合、シアンインク、マゼンタインク及びイエローインクを混色させることで、黒色（コンポジットブラック）を発色させる。
【００８８】
また、インクカートリッジを交換する場合は、消耗品補充ボタンＢ３を選択する旨のメッセージＭ４が表示される。ユーザーは、例えば消耗品補充ボタンＢ３を操作したうえで、空の消耗品（消耗液）であるインク（図６（ａ）の例では黒インク）を補充するためインクカートリッジを交換する。
【００８９】
また、エンドで使用不可能なインク色がカラー印刷に用いられるインク（図６（ｂ）の例では「シアンインク」）である場合は、グレイスケール印刷への変更が可能となっている。図６（ｂ）に示すように、画面Ｇ２には、グレイスケール印刷ボタンＢ５の選択を促すメッセージＭ６が表示される。
【００９０】
また、インクカートリッジを交換する場合は、消耗品補充ボタンＢ３の選択を促すメッセージＭ４が表示される。ユーザーは、例えば消耗品補充ボタンＢ３を操作したうえで、空の消耗品であるインク（図６（ｂ）の例ではシアンインク）を補充するためインクカートリッジを交換する。
【００９１】
このように画面Ｇ２における消耗品一覧には、使用可能な消耗品の一覧や空の消耗品の一覧などが表示される。例えば、使用可能な消耗品の一覧は、ユーザーが空の消耗品から現在プリンター３０に備えられた消耗品へ変更して印刷を指示するときに、変更先の消耗品を選択するために用いられる。例えば印刷条件で指定した消耗品がプリンター３０に備えられていない場合、補充するべき消耗品がなく現在プリンター３０に備えられている消耗品を用いた印刷をユーザーが希望するときは、ユーザーは、操作部１２を操作して、印刷条件で指定した消耗品から他の消耗品（例えば用紙）を用いた印刷に変更する。
【００９２】
例えば図５（ａ）に示すように、印刷条件で指定した用紙がプリンター３０にセットされておらず、現在プリンター３０にセットされている用紙を用いた印刷をユーザーが希望する場合、ユーザーは、操作部１２を操作して、印刷条件で指定した用紙から画面Ｇ２の一覧の中から他の種類の用紙Ｐを選択する。例えば図５（ａ）に示す例では、ユーザーは一覧の中から、「Ａ４判  普通」のボタンＢ１１を選択する。また、ユーザーが例えば印刷条件で「Ｌ判  写真紙」を指定して写真印刷を指示したものの、「Ｌ判  写真紙」がプリンター３０にセットされておらず、プリンター３０にセットされている２Ｌ判の写真紙への写真印刷を希望する場合、ユーザーは「２Ｌ判  写真紙」のボタンＢ１２を選択する。
【００９３】
また、例えば図６（ａ），（ｂ）に示すように、インクがエンドになっていた場合、交換するべきインクカートリッジがあれば、インクカートリッジを交換すればよい。しかし、交換するべきインクカートリッジが無かった場合、現在あるインクを用いた印刷の選択が可能である。例えば図６（ａ）に示すように、黒インクがエンドである場合、カラーを構成する３色（３原色）のインクのコンポジット（混色）により発色させた黒を使ってカラー印刷又はグレイスケール印刷が可能である。カラー印刷又はグレイスケール印刷を希望するユーザーは、印刷実行ボタンＢ２を選択する。すると、第２無線通信で携帯機器１１からプリンター３０へ印刷用データが送信され、プリンター３０において、シアン、マゼンタ、イエローの３原色のインクを使ったコンポジットの黒色を用いたカラー印刷又はグレイスケール印刷が行われる。
【００９４】
また、例えば図６（ｂ）に示すように、カラー印刷に必要な色（黒以外の色）のインク（図６（ｂ）の例ではシアンインク）がエンドになっていた場合、黒インクを用いたグレイスケール印刷が可能である。グレイスケール印刷を希望するユーザーは、図６（ｂ）に示す画面Ｇ２中のグレイスケール印刷ボタンＢ５を選択する。
【００９５】
図８に戻って、ステップＳ１８では、他の消耗品が選択されたか否かを判断する。他の消耗品が選択された場合は、プリンター３０と第２無線通信の接続を確立し（Ｓ１６）、次いで、その消耗品を用いた条件で印刷用データを送信する。また、他の消耗品が選択されなかった場合はステップＳ２０に進む。
【００９６】
ステップＳ２０では、中止操作されたか否かを判断する。中止操作された場合はステップＳ２１において、印刷を中止する。一方、中止操作されなかった場合は、ステップＳ２２において、消耗品補充が選択されたか否かを判断する。つまり、ユーザーによって消耗品補充ボタンＢ３が選択されたか否かを判断する。消耗品補充が選択された場合は、ステップＳ２３において、消耗品補充後に、携帯機器１１とプリンター３０とのＮＦＣ部同士のタッチを促す旨を表示する。例えば、図５（ａ）に示す画面Ｇ２で、ユーザーによって消耗品補充ボタンＢ３が選択されると、図５（ｂ）に示す画面Ｇ３が表示部１３に表示され、指定の用紙をセットした後、携帯機器１１のＮＦＣ部１５を、再度、プリンター３０のＮＦＣ部３５にタッチさせることを促すメッセージＭ５が表示される。ユーザーは、メッセージＭ５に従って、指定の用紙をセットした後、ユーザーは、携帯機器１１のＮＦＣ部１５を、再度、プリンター３０のＮＦＣ部３５にタッチさせる。このとき、ＮＦＣ部１５，３５間の近距離無線通信で携帯機器１１がプリンター３０から受信する消耗品ステータス情報ＳＴでは、指定の種類の用紙がセットされているので、必要な消耗品ありと判定される（ステップＳ１５で肯定判定）。そして、携帯機器１１の印刷制御装置２０は、プリンター３０との第２無線通信の接続を確立し、第２無線通信でプリンター３０へ印刷用データを送信する（Ｓ１９）。
【００９７】
次に図９〜図１２を参照して、携帯機器１１の印刷制御装置２０とプリンター３０との間の処理のやり取りを説明する。まず、図９を参照して、プリンター３０側に、指定の印刷条件で印刷するうえで必要な消耗品がある場合の印刷制御を説明する。
【００９８】
ユーザーが印刷実行指示の後、携帯機器１１をプリンター３０に近づけ、ＮＦＣ部１５，３５をタッチすると、プリンター３０では、コンピューター４３がＮＦＣ部３５の記憶部３５Ｂに書き込んだ通信接続情報ＬＤ及び消耗品ステータス情報ＳＴが近距離無線通信で、プリンター３０から携帯機器１１の印刷制御装置２０へ送信される。
【００９９】
印刷制御装置２０は、印刷条件と消耗品ステータス情報ＳＴとに基づいて、指定の印刷条件で印刷するうえでプリンター３０側に必要な消耗品の有無を判定する（Ｓ１５）。この判定の結果、必要な消耗品が有りの場合、印刷制御装置２０は、第２無線通信部１６にプリンター３０側の第２無線通信部３６との間の通信の接続処理を行わせる。印刷制御装置２０はプリンター３０の第２無線通信部３６から、第２無線通信の接続が確立された旨の通知を受信すると、印刷用データを第２無線通信でプリンター３０に送信する。プリンター３０では印刷制御装置２０から受信した印刷用データに指定の印刷条件に合った所定の処理を施して印刷部３１が扱える印刷データを生成し（ステップＳ１０１）、その生成した印刷データに基づき画像等の印刷を実行する（ステップＳ１０２）。この結果、指定の用紙Ｐに指定の印刷条件で画像等が印刷される。
【０１００】
次に、図１０を参照して、プリンター３０側に、指定の印刷条件で印刷するうえで必要な消耗品がなく、他の消耗品を選択した場合の印刷制御を説明する。
印刷制御装置２０は、設定部２６に設定された印刷条件と、近距離無線通信で受信した消耗品ステータス情報ＳＴとに基づいて、指定の印刷条件で印刷するうえでプリンター３０側に必要な消耗品の有無を判定する（Ｓ１５）。この判定の結果、必要な消耗品が無しの場合、携帯機器１１の表示部１３に、エラー表示と消耗品一覧表示とを行う（Ｓ１７）。プリンター３０に指定（例えばＢ５判  普通紙）の用紙Ｐがセットされていない場合、例えば図５（ａ）に示す画面Ｇ２が表示される。また、プリンター３０に指定の印刷色で印刷するうえで必要なインクがエンドの場合、例えば図６（ａ）又は（ｂ）に示す画面Ｇ２が表示される。ユーザーは画面Ｇ２に表示された使用可能な一覧中の消耗品を使って印刷する場合、ボタンＢ１，Ｂ２，Ｂ５のうち所望する他の消耗品を使用した印刷の実行を指示するものを操作し、その他の消耗品を用いた印刷条件での印刷を指示する（Ｓ１８）。
【０１０１】
他の消耗品を選択した印刷の指示を受け付けると、印刷制御装置２０は、第２無線通信部１６にプリンター３０側の第２無線通信部３６との間の通信の接続処理を行わせる。印刷制御装置２０はプリンター３０の第２無線通信部３６から、第２無線通信の接続が確立された旨の通知を受信すると、印刷用データを第２無線通信でプリンター３０に送信する。プリンター３０では印刷制御装置２０から受信した印刷用データに指定の印刷条件に合った所定の処理を施して印刷部３１が扱える印刷データを生成し（ステップＳ１０１）、その生成した印刷データに基づき画像等の印刷を実行する（ステップＳ１０２）。この結果、他の消耗品を使用した印刷条件で用紙Ｐに画像等が印刷される。
【０１０２】
また、図１１を参照して、プリンター側に必要な消耗品がなく消耗品の補充を選択した場合の印刷制御を説明する。
印刷制御装置２０は、設定部２６に設定された印刷条件と、近距離無線通信で受信した消耗品ステータス情報ＳＴとに基づいて、指定の印刷条件で印刷するうえでプリンター３０側に必要な消耗品の有無を判定する（Ｓ１５）。この判定の結果、必要な消耗品が無しの場合、携帯機器１１の表示部１３に、エラー表示と消耗品一覧表示とを行う（Ｓ１７）。プリンター３０に指定（例えばＢ５判  普通紙）の用紙Ｐがセットされていない場合、例えば図５（ａ）に示す画面Ｇ２が表示される。また、プリンター３０に指定の印刷色で印刷するうえで必要なインクがエンドの場合、例えば図６（ａ）又は（ｂ）に示す画面Ｇ２が表示される。ユーザーは指定した印刷条件での印刷を希望する場合、必要な消耗品の補充を選択する（Ｓ２２）。すなわち、例えば図５（ａ）、図６（ａ）又は（ｂ）に示す画面Ｇ２において、消耗品補充ボタンＢ３を操作する。
【０１０３】
消耗品補充ボタンＢ３の操作を受け付けると、印刷制御装置２０は、携帯機器１１の表示部１３に、図５（ｂ）又は図７に示す画面Ｇ３を表示させる（図８のＳ２３を参照）。図５（ｂ）又は図７に示すように、画面Ｇ３には、必要な消耗品の補充と、その補充後にＮＦＣ部同士の再度のタッチ（接近）とを促す旨のメッセージＭ５が含まれている。ユーザーは画面Ｇ３のメッセージＭ５に従って必要な消耗品の補充を行う。例えば指定の用紙Ｐを所定のカセット３４にセットしたり、エンドとなった必要なインク色のインクカートリッジＩＣを交換したりする。この必要な消耗品を補充すると、用紙検知部３７が指定の用紙を検知したり、インク残量検知部３８が指定のインク色のインクカートリッジＩＣの交換によりインクが補充されたことを検知したりする。これらの検知部３７，３８の検知状態が変化すると、その検知状態に基づく消耗品ステータス情報ＳＴをＮＦＣ部３５の記憶部３５Ｂに書き込み、消耗品ステータス情報ＳＴを更新する。
【０１０４】
そして、必要な消耗品を補充した後、ユーザーは、携帯機器１１をプリンター３０に近づけ、ＮＦＣ部１５，３５をタッチ（接近）させる。すると、プリンター３０では、コンピューター４３がＮＦＣ部３５の記憶部３５Ｂに書き込んだ通信接続情報ＬＤ及び消耗品ステータス情報ＳＴが近距離無線通信で、プリンター３０から携帯機器１１の印刷制御装置２０へ送信される。
【０１０５】
印刷制御装置２０は、印刷条件と消耗品ステータス情報ＳＴとに基づいて、指定の印刷条件で印刷するうえでプリンター３０側に必要な消耗品の有無を判定する（Ｓ１５）。このとき、先の消耗品の補充により、必要な消耗品が有りと判定されるので、印刷制御装置２０は、第２無線通信部１６にプリンター３０側の第２無線通信部３６との間の通信の接続処理を行わせる。印刷制御装置２０はプリンター３０の第２無線通信部３６から、第２無線通信の接続が確立された旨の通知を受信すると、印刷用データを第２無線通信でプリンター３０に送信する。プリンター３０では印刷制御装置２０から受信した印刷用データに、指定の印刷条件に合った所定の処理を施して印刷部３１が扱える印刷データを生成し（ステップＳ１０１）、その生成した印刷データに基づき画像等の印刷を実行する（ステップＳ１０２）。この結果、指定の用紙Ｐに指定の印刷条件で画像等が印刷される。
【０１０６】
また、図１２を参照して、プリンター側に必要な消耗品がなく印刷中止を選択した場合の印刷制御を説明する。
印刷制御装置２０は、設定部２６に設定された印刷条件と、近距離無線通信で受信した消耗品ステータス情報ＳＴとに基づいて、指定の印刷条件で印刷するうえでプリンター３０側に必要な消耗品の有無を判定する（Ｓ１５）。この判定の結果、必要な消耗品が無しの場合、携帯機器１１の表示部１３に、エラー表示と消耗品一覧表示とを行う（Ｓ１７）。プリンター３０に指定（例えばＢ５判  普通紙）の用紙Ｐがセットされていない場合、例えば図５（ａ）に示す画面Ｇ２が表示される。また、プリンター３０に指定の印刷色で印刷するうえで必要なインクがエンドの場合、例えば図６（ａ）又は（ｂ）に示す画面Ｇ２が表示される。ユーザーは、印刷の中止を希望するときは、図５（ａ）又は図６（ａ），（ｂ）に示される画面Ｇ２中の印刷中止ボタンＢ４を操作し、印刷の中止を選択する（Ｓ２０）。印刷の中止を受け付けると、印刷制御装置２０は、印刷制御の処理を中止する。
【０１０７】
以上詳述した本実施形態によれば、以下に示す効果を得ることができる。
（１）プリンター３０の消耗品に関するステータス情報ＳＴをプリンター３０から近距離無線通信で印刷制御装置２０が受信すると、指示部２９は、設定部２６に指定された印刷条件及びステータス情報に基づく印刷を、第２無線通信部１６による第２無線通信（Wi-Fi Direct）を介してプリンター３０に指示する。よって、消耗品がプリンター３０にセットされていなかったり、消耗品が空になっていたりして、指定された印刷条件とステータス情報とが合っていなければ、プリンター３０と第２無線通信での接続を確立する処理を行わない。そして、指示部２９は、設定部２６に指定された印刷条件及びステータス情報に基づく印刷の指示を受け付けると、プリンター３０と第２無線通信の接続を確立する処理を行って、ユーザーの希望する適切な印刷を行わせることができる。
【０１０８】
（２）消耗品は、プリンター３０にセットされた用紙Ｐ及びプリンター３０に取り付けられたインクカートリッジＩＣ１〜ＩＣ４中のインクのうち少なくとも一方であり、ステータス情報として、媒体及びインクのうち少なくとも一方の状態及び種類のうち少なくとも一方の情報を受信する。そして、印刷条件の一つとして指定された用紙とインクとのうち少なくとも一方と、用紙Ｐ及びインクカートリッジＩＣ１〜ＩＣ４中のインクのうち少なくとも一方のステータス情報とが合っていなければ、プリンター３０と第２無線通信での接続を確立する処理を行わない。そして、指示部２９は、設定部２６に指定された印刷条件とステータス情報とに基づく印刷が指示されると、プリンター３０と第２無線通信の接続を確立する処理を行って、ユーザーの希望する適切な印刷を行わせることができる。
【０１０９】
（３）コンピューター２３の主制御部２８は、媒体に関するステータス情報である媒体情報に基づき把握されるプリンター３０にセットされた第１媒体が、設定部２６により指定された第２媒体と異なる場合に、エラーを出力する。よって、ユーザーは、出力されたエラーにより、プリンター３０にセットされた第１媒体が、印刷条件の一つとして指定した第２媒体と異なることを知ることができる。
【０１１０】
（４）コンピューター２３の主制御部２８は、印刷条件とステータス情報とが合っていないときは、プリンター３０と第２無線通信での接続を行う前にエラーを出力し、エラーの場合はプリンター３０と第２無線通信の接続を行わない。よって、少なくともしばらくの間は印刷が行われないにも拘らず、第２無線通信部の接続が無駄に行われなくて済む。
【０１１１】
（５）コンピューター２３の主制御部２８は、エラーの場合に、プリンター３０にセットされた第１用紙に印刷する設定変更の指示を操作部１２の操作で与えることが可能な設定変更画面Ｇ２を表示部１３に表示させる。よって、ユーザーは、設定変更画面Ｇ２で、例えば画面タッチにより操作部１２を操作して、プリンター３０にセットされた第１用紙に印刷する設定変更の指示を印刷制御装置２０に与えることができる。このため、印刷制御装置２０は、プリンター３０にセットされた第１用紙Ｐに印刷させる印刷制御を行うことができる。
【０１１２】
（６）コンピューター２３の主制御部２８は、エラーの場合に、印刷条件のうちエラーとされた第２用紙のセットを促す案内画面Ｇ２を表示部１３に表示させる。よって、ユーザーは、印刷条件の１つとして指定した第２用紙をプリンター３０のカセット３４等にセットすることで、プリンター３０にユーザーが指定の用紙Ｐに印刷させることができる。
【０１１３】
（７）コンピューター２３の指示部２９は、プリンター３０にセットされた第１用紙の少なくともサイズを、印刷条件の一つとする設定変更がなされると、変更後の用紙のサイズに合った印刷サイズへの変倍をプリンター３０に指示する。よって、プリンター３０に、セットされた媒体のサイズに合った印刷サイズで媒体に印刷させることができる。
【０１１４】
なお、上記実施形態は以下のような形態に変更することもできる。
・第２無線通信部は、携帯機器１１とプリンター３０とが直接接続可能な無線通信部１６，３６に限定されない。例えば図１３に示すように、携帯機器１１とプリンター３０との双方に、アクセスポイント５０を介して接続可能な第２無線通信部５１及び第２無線通信部５２を設け、携帯機器１１からアクセスポイント５０を介してプリンター３０へ印刷用データを送信する構成としてもよい。この場合、印刷制御装置２０は、近距離無線通信でプリンター３０からアクセスポイント５０に接続するための識別情報（ＳＳＩＤ（Service Set Identifier），ＢＳＳＩＤ（Basic Service Set Identifier））及びパスワードと、プリンター３０のＩＰアドレスとを受信する。そして、印刷制御装置２０は、識別情報及びパスワードを用いてアクセスポイント５０に接続し、印刷用データをアクセスポイント５０に接続されたＬＡＮを経由してプリンター３０のＩＰアドレス宛に送信する。また、携帯機器１１とプリンター３０は、第２無線通信部として、携帯機器１１とプリンター３０とを直接接続可能な第２無線通信部１６，３６と、上記のアクセスポイント５０を介して接続可能な第２無線通信部５１，５２との両方をそれぞれ備えた構成でもよい。なお、ＢＳＳＩＤには通常ＭＡＣアドレス（Media Access Control Address）が用いられるが、それ以外の情報でもよい。
【０１１５】
・前記実施形態では、印刷制御装置２０が表示部１３にエラーを表示したが、ＬＥＤ等のランプの点灯又はスピーカーからの音声によりエラーの旨を出力してもよい。
・媒体の種類としての媒体サイズ（例えば用紙サイズ）と媒体種（例えば用紙種）とセットされた媒体の有無とを、ステータス情報としたが、これらのうち２つのみ又は一つのみをステータス情報としてもよい。２つのみの場合、例えば媒体サイズ及び媒体の有無をステータス情報としたり、媒体種及び媒体の有無をステータス情報としたり、さらに媒体サイズ及び媒体種をステータス情報としてもよい。また、１つのみの場合、例えば媒体サイズのみをステータス情報としたり、媒体種のみをステータス情報としたり、さらに媒体の有無のみをステータス情報としてもよい。
【０１１６】
・インクエンド（空）であることをステータス情報としたが、ステータス情報としてインク残量を用い、印刷条件で指定された印刷を実施するうえで、インクが不足する可能性があるときにエラーの一例として警告のメッセージを含む警告画面を表示部１３に表示させる構成としてもよい。例えば、用紙サイズ、印刷モード（高解像度／低解像度）、印刷枚数、印刷対象の画像データのうち少なくとも１つの情報を用いて印刷できる枚数を演算し、その印刷できる枚数が指定枚数よりも少ない場合に警告メッセージを含む警告画面を表示させる。一方、印刷できる枚数が指定枚数よりも多い場合に、第２無線通信の接続を確立し、印刷用データを第２無線通信でプリンター３０に送信する。
【０１１７】
・消耗品の一例としてのインクの補充は、インクカートリッジＩＣの交換によるものに限定されない。例えばインク補充式のインクタンクが筐体３０Ａの外側又は内側に取り付けられた印刷装置において、エンドになったインクをインクタンクに補充する構成でもよい。この場合、インクタンクが収容体の一例を構成するが、インクタンクは交換されないので、記録材の一例であるインクが消耗品となる。また、記録材は、インクに限らず、電子写真方式の印刷装置に用いられるトナーでもよい。この場合、トナーが収容されたケースが収容体の一例を構成する。また、記録材がインクである場合、収容体にインクリボンが収容された構成でもよい。
【０１１８】
・消耗品は、印刷装置にセットされた媒体及び印刷装置に取り付けられた収容体中の記録材（又は収容体）のうち少なくとも一方であればよい。例えば媒体と記録材のうち一方のステータス情報のみ示してもよい。例えばステータスを示す消耗品を媒体のみとし、媒体に関するステータス情報のみを印刷制御装置２０に通知したり、記録材に関するステータス情報のみを印刷制御装置２０に通知したりしてもよい。
【０１１９】
・ステータス情報は、媒体及び記録材（又は収容体）以外の他の消耗品のものでもよい。他の消耗品としては、印刷ヘッドを洗浄する洗浄液又はその収容体であってもよい。メンテナンス装置の消耗品でもよい。例えば印刷ヘッドのノズル開口面を払拭するワイパーが消耗品で、ワイパーの摩耗量や交換時期等のステータス情報を印刷装置から携帯機器の印刷制御装置２０へ近距離無線通信で送信する構成でもよい。また、廃インクを吸収するスポンジ等の液体吸収材又は廃インクを収容する廃液収容体（廃液吸収体又は廃液タンク）を消耗品とし、廃液収容体の交換時期等のステータス情報を、印刷装置から携帯機器へ近距離無線通信で送信してもよい。
【０１２０】
・印刷装置から携帯機器へ通信接続情報を近距離無線通信で送信したが、通信接続情報を送信しない構成でもよい。例えば携帯機器１１が印刷に使用する印刷装置が決まっている場合は、その印刷装置の第２無線通信部のプリンターＡＰ部３６Ａへの接続時に必要な通信接続情報ＬＤを携帯機器１１のメモリー２５に予め記憶しておいてもよい。
【０１２１】
・第２無線通信部は、ブルートゥース（Bluetooth（登録商標））規格の無線通信方式でもよい。例えばブルートゥース・アドホック（Bluetooth Direct）通信方式等のブルートゥース直接通信方式やＬＴＥ Direct通信方式でもよい。
【０１２２】
・第２無線通信部が複数種備えられていてもよい。例えばWi-Fi DirectとBluetooth Directとの２種類の第２無線通信部を備えていてもよい。
・第１無線通信部（近距離無線通信部）は、ＮＦＣタグ等のＮＦＣ部に限定されず、例えばフェリカ（登録商標）でもよい。第１無線通信部は、第２無線通信部よりも通信範囲が狭い通信方式であって、ユーザーが携帯機器の第１無線通信部を、印刷装置側の第１無線通信部の通信範囲内に接近させた状態で携帯機器を持って操作する程度の通信範囲のものであれば、ＮＦＣやフェリカに限定されない。例えばIrDA(Infrared Data Association)など他の近距離無線通信規格であってもよい。
【０１２３】
・印刷制御装置２０を構成する各機能部は、プログラムを実行するコンピューター２３によりソフトウェアで実現したり、ＩＣ回路等の電子回路によりハードウェアで実現したり、ソフトウェアとハードウェアとの協働により実現したりしてもよい。
【０１２４】
・媒体は用紙に限定されず、樹脂製のフィルム、金属箔、金属フィルム、樹脂と金属の複合体フィルム（ラミネートフィルム）、織物、不織布、セラミックシートなどであってもよい。
【０１２５】
・印刷装置は、印刷機能を備えていればよく、印刷機能以外の他の機能をも備えた複合機に限らず、印刷機能のみを備えたプリンターでもよい。また、複合機である場合、印刷機能以外の他の機能として、スキャン機能、コピー機能及びＦＡＸ機能のうち少なくとも一つを備えていればよい。
【０１２６】
・本明細書において、印刷制御装置で指定された印刷条件と、印刷装置側の消耗品のステータスとが合っていない場合とは、以下のことを指す。すなわち、印刷条件から規定される消耗品の種類が、ステータス情報から決まる現在の印刷装置に設けられている消耗品の種類と異なる場合と、印刷条件から規定される印刷に必要な消耗品の残量がステータス情報からその印刷を実施するうえで不足する場合（例えば空である場合）とのうち少なくとも一方を指す。
【符号の説明】
【０１２７】
１０…印刷制御システムの一例としての画像形成システム、１１…携帯機器、１２…操作部、１３…表示部、１５…第１無線通信部の一例であるＮＦＣ部（携帯機器側）、１６…第２無線通信部、２０…印刷制御装置、２３…コンピューター（印刷制御装置側）、２５…メモリー（携帯機器側）、２６…設定部、２７…判定部、２８…制御部の一例としての主制御部、２９…印刷指示部の一例としての指示部、３０…印刷装置の一例であるプリンター、３５…ＮＦＣ部（印刷装置側）、３６…第２無線通信部、３６Ａ…プリンターＡＰ、３７…媒体検知部、３８…インク残量検知部、４３…コンピューター（印刷装置側）、４６…メモリー（印刷装置側）、５１…第２無線通信部、ＳＴ…ステータス情報、ＬＤ…通信接続情報、ＰＲ…プログラム、Ｐ…媒体の一例としての用紙、ＩＣ，ＩＣ１〜ＩＣ４…インクカートリッジ、ＰＣ…印刷条件、Ｇ２…設定変更画面及び案内画面の一例としての画面。
【図１】
2016091083.tif 000003
【図２】
2016091083.tif 000004
【図３】
2016091083.tif 000005
【図４】
2016091083.tif 000006
【図５】
2016091083.tif 000007
【図６】
2016091083.tif 000008
【図７】
2016091083.tif 000009
【図８】
2016091083.tif 000010
【図９】
2016091083.tif 000011
【図１０】
2016091083.tif 000012
【図１１】
2016091083.tif 000013
【図１２】
2016091083.tif 000014
【図１３】
2016091083.tif 000015